(57)【要約】      （修正有）【課題】コンパクトで積み重ねにも適しかつ利便性に富むスライド式綴り帳を提供する。【解決手段】表紙２と、裏表紙と、表紙２と裏表紙との間に複数枚積層して挟んである短冊状で四隅のうちいずれかひとつの隅部近傍に芯用穴部を有するカード３と、表紙２と裏表紙の間に挟んで固着してあり厚みがカード３を積層した厚みよりも厚く直径が芯用穴部の直径と同じ円柱形のスライド用芯部５とを有する。スライド用芯部５が、表紙２と裏表紙とスライド用芯部５と一体として接続するものであり、カード３はそれぞれ、表紙２と裏表紙に対しスライド用芯部５を中心として回転自在である構成とする。【選択図】図１
0003180189.tif 000002
【実用新案登録請求の範囲】
【請求項１】
表紙と、裏表紙と、前記表紙と前記裏表紙との間に複数枚積層して挟んである短冊状で四隅のうちいずれかひとつの隅部近傍に芯用穴部を有するカードと、
前記芯用穴部の中に配置し前記表紙と前記裏表紙の間に挟んで固着してあり厚みが前記カードを積層した厚みよりも厚く直径が前記芯用穴部の直径と同じ若しくは前記芯用穴部の直径より小さい円柱形のスライド用芯部とを有し、
前記スライド用芯部が、前記表紙と前記裏表紙と該スライド用芯部と一体として接続するものであり、
前記カードはそれぞれ、前記表紙と前記裏表紙に対し前記スライド用芯部を中心として回転自在であることを特徴とするスライド式綴り帳。
【請求項２】
前記カードは、前記芯用穴部に最も近い隅部の角が丸めてあることを特徴とする請求項１に記載のスライド式綴り帳。
【請求項３】
前記スライド用芯部及び表紙及び前記裏表紙が熱可塑性プラスチックで、前記スライド用芯部と表紙及び前記裏表紙とは溶着接着してあることを特徴とする請求項１又は請求項２に記載のスライド式綴り帳。
【考案の詳細な説明】
【技術分野】
【０００１】
本考案は、スライド式綴り帳に関し、例えば単語帳や色見本帳等として使用することに適するスライド式綴り帳に関する。
【背景技術】
【０００２】
従来、スライド式の綴り帳として、リング状の綴じ具で一体化したスライド式カード形単語帳等が用いられてきた（例えば、特許文献１参照）。
【先行技術文献】
【特許文献】
【０００３】
【特許文献１】実登３０８１１０３号公報
【考案の概要】
【考案が解決しようとする課題】
【０００４】
しかし、特許文献１に記載されたような従来のスライド式綴り帳では、リングで綴じるためにカード分よりも嵩張り、リング分が出っ張るため積み重ねて収納するのに不向きであり、また必要なカードを見るのにリングを周回させる必要があり不便であるという問題がある。
【０００５】
そこで、本考案は、コンパクトで積み重ねにも適しかつ利便性に富むスライド式綴り帳を提供することを目的とする。
【課題を解決するための手段】
【０００６】
本考案の第１の態様は、表紙と、裏表紙と、前記表紙と前記裏表紙との間に複数枚積層して挟んである短冊状で四隅のうちいずれかひとつの隅部近傍に芯用穴部を有するカードと、
前記芯用穴部の中に配置し前記表紙と前記裏表紙の間に挟んで固着してあり厚みが前記カードを積層した厚みよりも厚く直径が前記芯用穴部の直径と同じ若しくは前記芯用穴部の直径より小さい円柱形のスライド用芯部とを有し、
前記スライド用芯部が、前記表紙と前記裏表紙と該スライド用芯部と一体として接続するものであり、
前記カードはそれぞれ、前記表紙と前記裏表紙に対し前記スライド用芯部を中心として回転自在であることを特徴とするスライド式綴り帳を提供する。
【０００７】
前記カードは、前記芯用穴部に最も近い隅部の角が丸めてあることが好ましい。また、前記スライド用芯部及び表紙及び前記裏表紙が熱可塑性プラスチックで、前記スライド用芯部と表紙及び前記裏表紙とは溶着接着してあることが好ましい。
【考案の効果】
【０００８】
本考案のスライド式綴り帳は上述したように構成されており、本考案のスライド式綴り帳によれば、コンパクトで積み重ねにも適しかつ利便性に富む。
【図面の簡単な説明】
【０００９】
【図１】本考案の実施例１のスライド式綴り帳の全体構成を示す平面図である。
【図２】本考案の実施例１のスライド式綴り帳のカードの平面図である。
【図３】本考案の実施例１のスライド式綴り帳のＡ−Ａ´線断面図である。
【図４】本考案の実施例１のスライド式綴り帳のマグネット芯部の斜視図である。
【図５】本考案の実施例１のスライド式綴り帳でカードをスライド回転させた状態を示す図である。
【考案を実施するための形態】
【００１０】
以下、本考案のスライド式綴り帳の一実施形態について、図面を参照し実施例を用いて具体的に説明するが、本考案はこれらに限定されるものではない。
【００１１】
（実施例１）
図１は、本考案の実施例１のスライド式綴り帳の全体構成を示す平面図である。本実施例１のスライド式綴り帳１は、表紙２と、裏表紙４と、表紙２と裏表紙４との間に１又は複数枚積層して挟んである短冊状で四隅のうちいずれかひとつの隅部近傍に芯用穴部３３を有するカード３と、芯用穴部３３の中に配置し表紙２と裏表紙４の間に挟んで固着してあり厚みがカード３を積層した厚みよりも厚く直径が芯用穴部３３の直径と同じ円柱形のスライド用芯部５と、を有する。図１において、点線は、表紙２の下に隠れているカード３の位置及びカード３の芯用穴部３３の位置を示す。芯用穴部３３の直径は、芯用穴部３３の直径より小さくてもよい。芯用穴部３３に近い短辺側に背表紙を有して表紙２と裏表紙４と背表紙とが一体となっているものであってもよい。
【００１２】
図２は、本考案の実施例１のスライド式綴り帳のカードの平面図である。カード３は、紙面に向かって左斜め上の隅に近いところに芯用穴部３３を有する。芯用穴部３３の位置は各カードとも同じ位置になるように設けてある。カード３のうち、芯用穴部３３以外の部分は、表面側も裏面側も、文字や絵などが印刷されているか自ら書き込めるスペースである表示部３４となっている。本実施例では表示部３４に印刷された文字等は図示を省略してある。表示部３４には、オフセット印刷や他の方法による印字、あるいは手書き等で文字等が表示してあってもよい。カード３は、本実施例では、芯用穴部３３に最も近い隅部の角が丸めてある。
【００１３】
図３は、本考案の実施例１のスライド式綴り帳のＡ−Ａ´線断面図である。各カード３の芯用穴部３３にスライド用芯部５を貫通させてあり、表紙２及び裏表紙４の間に挟んで固着してある。カード３を積層した厚みよりスライド用芯部５の厚み（高さ）の方が厚い（高い）ので、表紙２に対して所望のカード３を回転させることが容易にできる。
【００１４】
図４は、本考案の実施例１のスライド式綴り帳のマグネット芯部の斜視図である。スライド用芯部５は、積層したカード３の芯用穴部３３の中に配置してある。スライド用芯部５は表紙２及び裏表紙４と一体として接続固着してあるので、各カード３を、それぞれスライド用芯部５を回転軸として回転自在にする。
【００１５】
図５は、本考案の実施例１のスライド式綴り帳でカードをスライド回転させた状態を示す図である。所望のカード３を回転させることにより、図５のように、回転させたカード３の表示部３４を視認できる。芯用穴部３３に最も近い隅部の角が丸めてあるので、背表紙を設けても、背表紙に当たることなくスムーズに９０度回転させることができる。
【００１６】
スライド用芯部５は、カード３の厚みよりわずかに厚く、したがって、表紙や裏表紙をめくらない状態のままでカード３の周縁部を手指で容易に回転させることができる。したがって操作が極めて簡単にできる。本実施例によれば、回転させるためのリングなどがいらないため、表面側、裏面側ともでっぱりがなく、凸凹しない。重ねて保管する際などには嵩張ったりずれたりするおそれがない。また、引っかかってけがをすることがないので安全性が高い。
【００１７】
カード３、表紙２や裏表紙４に記載された文字や模様は省略してある。本実施例においては、カード３、表紙２、裏表紙４はいずれもＰＥＴ（ポリエチレンテレフタレート）シートであるが、塩化ビニルシートや他の熱可塑性樹脂でもよい。あるいはその他の樹脂シート、ガラスシート、金属シート、高分子被膜紙でもよい。そのほか、高分子を原料とする紙状シートであってプラスチックフィルムや表面加工したプラスチックフィルムで作った不織布などである合成紙でも可能である。スライド用芯部５は、本実施例においては、ＰＥＴ（ポリエチレンテレフタレート）であるが、他の熱可塑性樹脂でもよいし、他のプラスチックや金属でもよい。カード３は、色見本などでもよい。本実施例では、カード３、表紙２、裏表紙４の厚みは０．５ｍｍで、カード３は７枚積層してあり、スライド用芯部５の厚みはカード３を７枚積層した厚さより厚く３．６ｍｍであるが、スライド用芯部５の厚みの方が積層したカード３の厚みより厚ければ、これに限定されない。カード３の積層枚数も７枚に限らず、１枚〜２枚程度でもよいし、多数枚積層させてもよい。
【００１８】
なお、本実施例では、スライド用芯部５と、表紙２及び裏表紙４とは溶着接着して固着してある。したがって、各部品を引っ張ってもはがれにくく、丈夫である。なお、スライド用芯部５と表紙２と裏表紙４の材質の組み合わせによっては両面テープや接着剤による固着でもよい。
【００１９】
本実施例によれば、コンパクトで積み重ねにも適しかつ利便性に富む。本実施例によれば、必要なカードを見るのに片手の手指で所望のカードを回転させるだけでよいので、操作が容易で便利であり、リング等のでっぱりがないのでコンパクトで収納にも適している。
【００２０】
なお、本考案は、上記実施の形態に限定されず、その考案の趣旨を逸脱しない範囲で種々と変形実施が可能である。
【符号の説明】
【００２１】
１      スライド式綴り帳
２      表紙
３      カード
３３    芯用穴部
３４    表示部
４      裏表紙
５      スライド用芯部
【図１】
0003180189.tif 000003
【図２】
0003180189.tif 000004
【図３】
0003180189.tif 000005
【図４】
0003180189.tif 000006
【図５】
0003180189.tif 000007